【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
年度と作業とを少なくとも含み、該作業における文書化の状態、整備評価の状態又は運用評価の状態のいずれか一つ以上の状態とを対応付けて記憶する状態記憶手段と、
第１の年度から該第１の年度の次の年度である第２の年度への年度切替の指示を受け付ける指示受付手段と、
前記指示受付手段によって受け付けられた年度切替の指示に応じて、前記状態記憶手段に記憶されている年度を第２の年度に更新し、該更新した第２の年度に対応した作業の状態を第１の年度における作業の状態に応じて更新する対象の選択肢を表示する表示手段
を具備することを特徴とする情報処理装置。
【請求項２】
前記状態記憶手段は、作業毎に年度及び該作業の状態を記憶しており、
前記指示受付手段は、作業毎に年度切替の指示を受け付ける
ことを特徴とする請求項１に記載の情報処理装置。
【請求項３】
操作者によって前記表示手段によって表示された選択肢が選択された作業の状態の更新を制限する更新制限手段
をさらに具備し、
前記更新制限手段による制限に応じて、前記操作者によって選択された作業の状態の更新を行う
ことを特徴とする請求項１又は２に記載の情報処理装置。
【請求項４】
前記更新制限手段は、前記状態記憶手段に記憶された作業の文書化の状態、整備評価の状態又は運用評価の状態によって異なる制限を行う
ことを特徴とする請求項３に記載の情報処理装置。
【請求項５】
前記更新制限手段は、更新の対象が作業の文書化の状態である場合は、第２の年度における該作業の文書化の状態を、第１の年度における該作業の文書化の状態とすることを妨げない
ことを特徴とする請求項４に記載の情報処理装置。
【請求項６】
前記更新制限手段は、更新の対象が作業の運用評価の状態である場合は、第２の年度における該作業の運用評価の状態を、第１の年度における該作業の運用評価の状態とすることを制限する
ことを特徴とする請求項４又は５に記載の情報処理装置。
【請求項７】
コンピュータを、
年度と作業とを少なくとも含み、該作業における文書化の状態、整備評価の状態又は運用評価の状態のいずれか一つ以上の状態とを対応付けて記憶する状態記憶手段と、
第１の年度から該第１の年度の次の年度である第２の年度への年度切替の指示を受け付ける指示受付手段と、
前記指示受付手段によって受け付けられた年度切替の指示に応じて、前記状態記憶手段に記憶されている年度を第２の年度に更新し、該更新した第２の年度に対応した作業の状態を第１の年度における作業の状態に応じて更新する対象の選択肢を表示する表示手段
として機能させることを特徴とする情報処理プログラム。
【手続補正２】
【補正対象書類名】明細書
【補正対象項目名】０００６
【補正方法】変更
【補正の内容】
【０００６】
かかる目的を達成するための本発明の要旨とするところは、次の各項の発明に存する。
請求項１の発明は、年度と作業とを少なくとも含み、該作業における文書化の状態、整備評価の状態又は運用評価の状態のいずれか一つ以上の状態とを対応付けて記憶する状態記憶手段と、第１の年度から該第１の年度の次の年度である第２の年度への年度切替の指示を受け付ける指示受付手段と、前記指示受付手段によって受け付けられた年度切替の指示に応じて、前記状態記憶手段に記憶されている年度を第２の年度に更新し、該更新した第２の年度に対応した作業の状態を第１の年度における作業の状態に応じて更新する対象の選択肢を表示する表示手段を具備することを特徴とする情報処理装置である。
【手続補正３】
【補正対象書類名】明細書
【補正対象項目名】０００８
【補正方法】変更
【補正の内容】
【０００８】
請求項３の発明は、操作者によって前記表示手段によって表示された選択肢が選択された作業の状態の更新を制限する更新制限手段をさらに具備し、前記更新制限手段による制限に応じて、前記操作者によって選択された作業の状態の更新を行うことを特徴とする請求項１又は２に記載の情報処理装置である。
【手続補正４】
【補正対象書類名】明細書
【補正対象項目名】００１２
【補正方法】変更
【補正の内容】
【００１２】
請求項７の発明は、コンピュータを、年度と作業とを少なくとも含み、該作業における文書化の状態、整備評価の状態又は運用評価の状態のいずれか一つ以上の状態とを対応付けて記憶する状態記憶手段と、第１の年度から該第１の年度の次の年度である第２の年度への年度切替の指示を受け付ける指示受付手段と、前記指示受付手段によって受け付けられた年度切替の指示に応じて、前記状態記憶手段に記憶されている年度を第２の年度に更新し、該更新した第２の年度に対応した作業の状態を第１の年度における作業の状態に応じて更新する対象の選択肢を表示する表示手段として機能させることを特徴とする情報処理プログラムである。
【手続補正５】
【補正対象書類名】明細書
【補正対象項目名】００６０
【補正方法】変更
【補正の内容】
【００６０】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕｅ−ｒａｙ  Ｄｉｓｋ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ）、フラッシュ・メモリ、ランダム・アクセス・メモリ（ＲＡＭ）等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
前述の実施の形態は、次のような発明としてとらえてもよい。
[１]  年度と作業と該作業における文書化の状態、整備評価の状態又は運用評価の状態のいずれか一つ以上の状態とを対応付けて記憶する状態記憶手段と、
第１の年度から該第１の年度の次の年度である第２の年度への年度切替の指示を受け付ける指示受付手段と、
前記指示受付手段によって受け付けられた年度切替の指示に応じて、前記状態記憶手段に記憶されている年度を第２の年度に更新し、該更新した第２の年度に対応した作業の状態を第１の年度における作業の状態に応じて更新する状態更新手段
を具備することを特徴とする情報処理装置。
[２]  前記状態記憶手段は、作業毎に年度及び該作業の状態を記憶しており、
前記指示受付手段は、作業毎に年度切替の指示を受け付ける
ことを特徴とする[１]に記載の情報処理装置。
[３]  前記状態更新手段による作業の状態の更新を制限する更新制限手段
をさらに具備し、
前記状態更新手段は、前記更新制限手段による制限に応じて、作業の状態の更新を行う
ことを特徴とする[１]又は[２]に記載の情報処理装置。
[４]  コンピュータを、
年度と作業と該作業における文書化の状態、整備評価の状態又は運用評価の状態のいずれか一つ以上の状態とを対応付けて記憶する状態記憶手段と、
第１の年度から該第１の年度の次の年度である第２の年度への年度切替の指示を受け付ける指示受付手段と、
前記指示受付手段によって受け付けられた年度切替の指示に応じて、前記状態記憶手段に記憶されている年度を第２の年度に更新し、該更新した第２の年度に対応した作業の状態を第１の年度における作業の状態に応じて更新する状態更新手段
として機能させることを特徴とする情報処理プログラム。